(57)【要約】【課題】法面を被覆保護する壁面の施工に関し、パネルの背面側から連結具の装着状態の確認を不要とする。【解決手段】所定の大きさを有する矩形状壁材１１と、この矩形状壁材１１の背面の横幅長さの略１／４だけ左右両端から内側へ寄った上下の位置に、それぞれ突出部１２１を矩形状壁材１１の周縁から突出させたアーム１２と、から壁面構築用パネル１を構成し、壁面を構築する場面では、下段の壁面構築用パネル１の背面側へアーム１２の突出部１２１を滑り込ませ、滑り込ませた側の壁面構築用パネル１と下段の壁面構築用パネル１との法面Ｓからの高さレベルを整合させ、さらに、下段の壁面構築用パネル１の背面側へアーム１２の突出部１２１を滑り込ませた状態において、法面Ｓに対して何らかの手段にて固定せず、滑り込ませた側の壁面構築用パネル１の左右方向への移動を可能にして壁面を施工する。【選択図】図１
2011132796.tif 000002
【特許請求の範囲】
【請求項１】
建て並べて壁面を構築するのに用いる壁面構築用パネルであって、
所定の大きさを有する矩形状壁材と、
この矩形状壁材の背面の横幅長さの略１／４だけ左右両端から内側へ寄った上下の位置に、それぞれ一部を前記矩形状壁材の周縁から突出させた連結具と、
から構成され、
前記壁面を構築する場面では、建て並べる上段の前記壁面構築用パネルにおける下位置の前記連結具の突出した一部を下段の前記壁面構築用パネルの背面側へ滑り込ませることで、建て並べる上段の前記壁面構築用パネルと下段の前記壁面構築用パネルとが整合するようになり、かつ、前記建て並べる上段の前記壁面構築用パネルは前記下段の壁面構築用パネルの背面側へ前記連結具を滑り込ませた状態にて左右方向の移動が可能である、
ことを特徴とする壁面構築用パネル。
【請求項２】
請求項１に記載の壁面構築用パネルにおいて、
重量物が衝突したとき、薄板軽量であることにより、被衝突箇所が変形して背面側にめり込み、その衝撃荷重が減衰し、かつ、構築した壁面は、建て並べて隣接させた前記壁面構築用パネル同士が機械的に結合しないで独立していることにより、隣接する前記壁面構築用パネルへの前記衝撃荷重の伝播が軽減阻止され、破壊領域の拡大が抑止される、
ことを特徴とする壁面構築用パネル。
【請求項３】
請求項１又は請求項２に記載の壁面構築用パネルにおいて、
前記連結具を前記矩形状壁材へ着脱可能に突出させた、
ことを特徴とする壁面構築用パネル。
【請求項４】
請求項１から請求項３のいずれか１つに記載の壁面構築用パネルにおいて、
前記連結具の突出した一部に固定部材を繋止する凹状部又は孔の少なくとも一方を設けた、
ことを特徴とする壁面構築用パネル。
【発明の詳細な説明】
【技術分野】
【０００１】
この発明は、上下左右に建て並べ、道路や河川などの両脇にある盛土、切土の法面等を被覆保護するのに用いる壁面構築用パネルに関する。また、道路の両脇にある盛土、切土の法面等の被覆保護面（保護壁）を構築した際に、この保護壁に車両が衝突したときの衝撃荷重を軽減し、かつ、保護壁の破壊領域の拡大を抑止する機能を付与することができる壁面構築用パネルに関する。
【背景技術】
【０００２】
道路や河川の両脇にある盛土、切土の法面は、一般に、例えば、コンクリート製の擁壁（ブロック）などにより被覆保護されている。従来、このコンクリート製の擁壁ブロックの施工では、例えば、表面積が１〜２ｍ2、厚み１０〜３５ｃｍ、重量が２００〜５００ｋｇ前後のものをそのまま重機で積み上げ、その自重を利用して法面に重石のように固定することにより行われている。したがって、擁壁ブロックには重石となり得る重さが必要であり、軽量化が困難であるという課題とともに、重機や吊り上げるための機械を使うため、施工の合理化やコスト削減が困難になっている。
【０００３】
これらの課題、問題を解決する手段として、出願人らは、壁面を構築するために一定の大きさであって、背面側に被連結具を設けたパネルを複数用い、これらパネル同士を連結具を介して上下左右方向に積み重ね、さらに、パネルの裏面側に充填材を充填することによって擁壁を構築する擁壁構築方法を下記特許文献１にて提案している。この擁壁構築方法では、例えば、人力で所定の位置に設置することができて施工の合理化が実現されるほか、パネルの背面側から連結具の装着状態を確認しながら施工することができるため、構築された擁壁の安全性も確保することができる効果も得られるようになった。
【先行技術文献】
【特許文献】
【０００４】
【特許文献１】特許第３５８１５９０号公報
【発明の概要】
【発明が解決しようとする課題】
【０００５】
しかし、擁壁を構築する法面の施工現場によっては、上記パネルの背面側から連結具の装着状態を確認しつつ施工することができない場合もあり、この場合にも、施工の合理化やコスト削減を実現しつつ、構築された擁壁の安全性も確保することができる擁壁材や、施工方法の開発が望まれている。さらに、従来の重くて硬い擁壁ブロックでは、車両等の重量物が高速で衝突したとき、その衝撃荷重が非常に大きくなるので、車両は大破し、擁壁（保護壁）も広範囲に崩壊して被害が甚大となる問題、事故後の擁壁（保護壁）の補修作業が大規模になるなどの問題が生ずる。その一方で、上記したパネルやその擁壁構築方法を改良するなどし、緩衝機能を付与すれば、これを用いて構築した保護壁に車両が衝突したときの衝撃荷重を軽減させることができ、保護壁の破壊領域の拡大抑止、保護壁の補修作業の簡便化等が可能になると期待される。
【０００６】
本発明は、上記実情に鑑み提案されたもので、建て並べて壁面や擁壁を構築するのに用いる壁面構築用パネルに関し、施工の過程でパネルの背面側から連結具の装着状態を確認する作業を不要にしても、構築された壁面や擁壁の安全性を確保することができ、かつ、大幅な施工の合理化、コスト削減を実現する壁面構築用パネルを提供することを目的とする。また、車両が衝突したときの衝撃荷重を軽減し、かつ、破壊領域の拡大を抑止することができる保護壁を構築できる壁面構築用パネルを提供することも目的とする。
【課題を解決するための手段】
【０００７】
上記目的を達成するため、本発明は、建て並べて壁面を構築するのに用いる壁面構築用パネルであって、所定の大きさを有する矩形状壁材と、この矩形状壁材の背面の横幅長さの略１／４だけ左右両端から内側へ寄った上下の位置に、それぞれ一部を前記矩形状壁材の周縁から突出させた連結具と、から構成され、前記壁面を構築する場面では、建て並べる上段の前記壁面構築用パネルにおける下位置の前記連結具の突出した一部を下段の前記壁面構築用パネルの背面側へ滑り込ませることで、建て並べる上段の前記壁面構築用パネルと下段の前記壁面構築用パネルとが整合するようになり、かつ、前記建て並べる上段の前記壁面構築用パネルは前記下段の壁面構築用パネルの背面側へ前記連結具を滑り込ませた状態にて左右方向の移動が可能であることを特徴とする。
【０００８】
また、上記壁面構築用パネルにおいて、重量物が衝突したとき、薄板軽量であることにより、被衝突箇所が変形して背面側にめり込み、その衝撃荷重が減衰し、かつ、構築した壁面は、建て並べて隣接させた前記壁面構築用パネル同士が機械的に結合しないで独立していることにより、隣接する前記壁面構築用パネルへの前記衝撃荷重の伝播が軽減阻止され、破壊領域の拡大が抑止されることを特徴とする。
【０００９】
さらに、上記壁面構築用パネルにおいては、上記連結具を矩形状壁材へ着脱可能に突出させることが好ましく、また、上記連結具の突出した一部に固定部材を繋止する凹状部又は孔の少なくとも一方を設けることが、さらに好ましい。
【発明の効果】
【００１０】
本発明では、建て並べて壁面を構築するのに用いる壁面構築用パネルに関し、所定の大きさを有する矩形状壁材と、この矩形状壁材の背面の横幅長さの略１／４だけ左右両端から内側へ寄った上下の位置に、それぞれ一部を前記矩形状壁材の周縁から突出させた連結具とから構成した。これにより、連結具が予め矩形状壁材に取り付けられた状態にて施工することが可能となるため、施工の過程でパネルの背面側から連結具の装着状態を確認する作業を不要にすることができる。
さらに、壁面を構築する場面では、建て並べる上段の壁面構築用パネルにおける下位置の連結具の突出した一部を下段の壁面構築用パネルの背面側へ滑り込ませることで、建て並べる上段の壁面構築用パネルと下段の壁面構築用パネルとが整合するようになり、かつ、建て並べる上段の壁面構築用パネルは下段の壁面構築用パネルの背面側へ連結具を滑り込ませた状態にて左右方向の移動が可能であるものとした。このため、下段の壁面構築用パネルの背面側へ建て並べる上段の壁面構築用パネルにおける下位置の連結具の突出した一部を滑り込ませることにより、建て並べる上段の壁面構築用パネルと下段の壁面構築用パネルとの例えば表面が整合して連続的に並ぶようになって、下段の壁面構築用パネルと上段の壁面構築用パネルとの表面が整合して連続する壁面を構築することができるとともに、建て並べる上段の壁面構築用パネルは、下段の壁面構築用パネルの背面側へ連結具を滑り込ませた状態にて矩形状壁材を左右方向に移動することができるものとなる。
したがって、例えば、法面での壁面施工の場面では、下段の壁面構築用パネルと上段の壁面構築用パネルとの法面からの高さレベルを整合させつつ、連結具を滑り込ませた上段の壁面構築用パネルを左右方向に移動することができるので、法面の所定の設置箇所に容易に本発明品を設置することが可能になって、その施工作業を簡素化しつつ、構築した壁面の安全性を確保することができる。さらに、壁面構築用パネルの背面側から連結具の装着状態を確認しつつ施工することができない現場にも使えるため、様々な壁面の施工に柔軟に活用することができる。 
また、法面ではない例えば、垂直方向に建て並べて壁面を構築する施工現場であっても、下段の壁面構築用パネルと上段の壁面構築用パネルとの表面を整合させて連続的に並ばせつつ、連結具を滑り込ませた上段の壁面構築用パネルを左右方向に移動することができるので、法面の施工と同様の効果を得ることができる。
【００１１】
また、本発明に係る壁面構築用パネルでは、薄板軽量であることにより、重量物が衝突したとき、被衝突箇所が変形して背面側にめり込み、その衝撃荷重が減衰するものとなる。さらに、構築した壁面は、建て並べて隣接させた壁面構築用パネル同士が機械的に結合しないで独立していることにより、隣接する壁面構築用パネルへの前記衝撃荷重の伝播が軽減阻止され、破壊領域の拡大が抑止される。すなわち、本発明では、構築した壁面に、車両等の重量物が衝突しても衝撃荷重が減衰する緩衝機能を備えさせることができる。また、衝撃荷重が隣接する壁面構築用パネルに伝播するのを軽減阻止するので、構築した壁面の破壊領域の拡大を抑止することもできる。破壊領域の拡大が抑止されるということは、その破壊された限られた箇所の本発明品のみを交換すれば、簡便に補修作業が済むこととなり、従来大規模であった補修作業を大幅に簡素化することができる。
【００１２】
さらに、本発明に係る壁面構築用パネルでは、上記連結具を矩形状壁材へ着脱可能に突出させたので、施工現場において連結具を矩形状壁材に取り付けて本発明品を構成した後、壁面を構築する施工に使用する等の使用例を提案することができる。そうすると、本発明品を構成する連結具と矩形状壁材とを施工現場まで効率よく輸送することができ、更なるコスト削減効果を期待することができる。また、上記連結具の突出した一部に固定部材を繋止する凹状部又は孔の少なくとも一方を設ければ、法面での施工の場合には、連結具の突出した一部の凹状部に固定部材を繋止させつつ法面に壁面構築用パネルを固定することができ、法面でない現場での施工の場合には、下段の壁面構築用パネルの連結具の孔と上段の壁面構築用パネルの連結具の孔とを固定部材で繋止させて固定するなど、固定手段を選択可能なものとすることができるため、様々な壁面の施工に柔軟に活用することができる。
【００１３】
そして、壁面構築用パネルを用いて壁面を施工すれば、壁面構築用パネルの連結具の突出した一部を、下段の壁面構築用パネルの背面側へ滑り込ませる連結具案内工程と、この連結具を滑り込ませた壁面構築用パネルを左右に移動するパネル設置工程と、左右に移動した壁面構築用パネルの連結具の突出した一部を、固定部材を用いて法面の被固定部に固定して移動を規制するパネル固定工程と、により、建て並べた壁面構築用パネルの動きを規制して壁面を構築することができる。このため、上記壁面構築用パネルに備えさせた効果のほか、連結具の突出した一部を固定部材により被固定部に固定すること、建て並べた壁面構築用パネルの相互の自重等によって、壁面構築用パネルの上下方向の動き、前後左右方向の動きをいずれも規制しつつ壁面を構築することが可能になって、その施工過程の作業を簡素化しつつ、構築した壁面の安全性をさらに確保することができる。
特に、被固定部は、下段の壁面構築用パネルの連結具に設けられ、又は法面であるので、法面での施工の場合には、連結具の突出した一部の凹状部に固定部材を繋止させつつ法面に壁面構築用パネルを固定し、法面でない現場での施工の場合には、下段の壁面構築用パネルの連結具の孔と上段の壁面構築用パネルの連結具の孔とを固定部材で繋止させて固定するなど、固定手段を選択可能なものとすることができるため、様々な壁面の施工に柔軟に活用することができる。
【図面の簡単な説明】
【００１４】
【図１】本発明に係る壁面構築用パネルの概略背面図である。
【図２】本発明に係る壁面構築用パネルの概略側面図である。
【図３】本発明に係る壁面構築用パネルを用いた壁面施工方法において、矩形状壁材へ連結具を取り付ける場面を説明する説明図である。
【図４】本発明に係る壁面構築用パネルを用いた壁面施工方法において、連結具案内工程を説明する説明図である。
【図５】本発明に係る壁面構築用パネルを用いた壁面施工方法において、パネル設置工程を説明する説明図である。
【図６】本発明に係る壁面構築用パネルを用いた壁面施工方法において、パネル設置工程により所定位置に壁面構築用パネルが設置された状態を説明する説明図である。
【図７】本発明に係る壁面構築用パネルを用いた壁面施工方法において、パネル固定工程を説明する説明図であって、（ａ）は、固定部材により連結具を挟み込んだ状態、（ｂ）は、固定部材を法面へ打ち込んで、壁面構築用パネルを固定した状態、をそれぞれ説明するものである。
【図８】本発明に係る壁面構築用パネルを用いた壁面施工方法により完成した壁面（保護壁）の概略正面図である。
【図９】（ａ）は、図８のＩＸ−ＩＸ断面図であり、（ｂ）は、（ａ）中の要部拡大図である。
【図１０】本発明に係る壁面構築用パネルにて構築した保護壁に重錘を落下させ、衝突させた後の保護壁の破壊の程度を説明する説明図である。
【図１１】従来の保護壁ブロックにて構築した保護壁に重錘を落下させ、衝突させた後の保護壁の破壊の程度を説明する説明図である。
【発明を実施するための形態】
【００１５】
以下、この発明の実施形態を図面に基づいて説明する。
【００１６】
まず、図１および図２に基づき、本発明に係る壁面構築用パネルの構成を説明する。
本発明に係る壁面構築用パネル１は、特に、図１に示すように、所定の大きさを有する矩形状壁材１１と、この矩形状壁材１１の背面の横幅長さの略１／４だけ左右両端から内側へ寄った上下の位置に、それぞれ一部を矩形状壁材１１の周縁から突出させて取り付けたアーム１２と称する連結具と、から構成されている。
【００１７】
矩形状壁材１１は、例えば、鉄筋を埋設させたコンクリート製で、正面の高さが３００ｍｍで、横幅が９００ｍｍで、厚さが３５ｍｍの長方形をしている。また、矩形状壁材１１の背面の左右（横幅）の端から１／４ずつ、例えば、２２５ｍｍ内側へ寄った上下には、Ｕ字形、Ｖ字形などの上下方向に開放させて突設された４つの被取り付け具としてのフック１３が設けられている。ここで、矩形状壁材１１は、厚さが６０ｍｍ以下で、重量が一枚当たり４０ｋｇ以下の薄板状の軽量のものであればよい。例えば、重量が同２０ｋｇ以下となれば従来に比べ１０分の１以下にすることができ、本発明を創作した思想に合致するので、より一層好ましいものとなる。
【００１８】
アーム１２は、特に、図２に示すように、金属製で、フック１３に挿入されて矩形状壁材１１へ取り付けられるもので、矩形状壁材１１への取り付けの際に、その周縁から突出した部分となる突出部１２１と、矩形状壁材１１へ取り付けられる部分となる取付部１２２とからなる。
【００１９】
アーム１２の突出部１２１は、例えば、道路や河川の両脇にある盛土、切土等の設置しようとする法面と反対側（矩形状壁材１１側）に凹状部１２１ａが形成され、この凹状部１２１ａに連続する突出部１２１の先端部分の上辺１２１ｂが、矩形状壁材１１の背面の延長線上にくるように、すなわち、矩形状壁材１１の背面と同じ高さレベルになるように加工されている。アーム１２の取付部１２２は、取り付けられる矩形状壁材１１の背面に対応するように、設置しようとする法面と反対側が直線辺１２２ａとなるように加工されている。
また、アーム１２の設置しようとする法面の側は、突出部１２１から取付部１２２へ向けて徐々に幅太となるとともに、フック１３に当接する当接領域１２Ａが形成されている。このほか、アーム１２には、法面以外での施工現場、例えば、垂直方法に壁面を構築するような施工現場にも対応可能とするため、例えば、セパレータと称する棒状部材が接合するための孔１２ｂが形成されている。
【００２０】
壁面構築用パネル１における矩形状壁材１１へのアーム１２の取り付けは、図１又は図２に示すように、４つのフック１３へそれぞれアーム１２を打ち込んで行われ、フック１３がアーム１２の取付部１２２を挟み込んだ状態にて当接領域１２Ａに当接し、アーム１２を矩形状壁材１１に固定して取り付られ、これにより壁面構築用パネル１が構成される（図３も参照のこと。）。
なお、各フック１３は、別部材として設けてもよいものであるが、製造の簡素化、コスト削減等の観点から、矩形状壁材１１に埋設された鉄筋の一部を突出させて設けることが好ましい。
【００２１】
本発明に係る壁面構築用パネル１は、上記のような構成により、特に、壁面を構築する場面において、建て並べた下段の壁面構築用パネル１の背面側へアーム１２の突出部１２１を滑り込ませることで、この突出部１２１の先端部分の上辺１２１ｂが矩形状壁材１１の背面と同じ高さレベルであるために、滑り込ませた壁面構築用パネル１が下段の壁面構築用パネル１と整合する。例えば、下段の壁面構築用パネル１と上段の壁面構築用パネル１との法面からの高さレベルが揃うようになり、また例えば、下段の壁面構築用パネルと上段の壁面構築用パネルとの表面が整合しつつ連続的に並ぶようになる。さらに、下段の壁面構築用パネル１の背面側へアーム１２の突出部１２１を滑り込ませた状態においては、法面等に対して何らかの手段にて固定されていないため、滑り込ませた壁面構築用パネル１は左右方向へ移動することが可能となる。
【００２２】
次に、図３〜図９に基づき、本発明に係る壁面構築用パネルを用い、壁面を施工すること（壁面施工方法）に関し、例えば、道路や河川の両脇にある盛土、切土等の法面へ適用して壁面としての擁壁（保護壁）を構築する場合の実施形態を例示して説明する。
【００２３】
まず、壁面により被覆保護する必要がある法面の壁面施工現場に、背面にフック１３を備えた矩形状壁材１１、および、アーム１２がそれぞれ別体として運搬されてくるので、これらを壁面施工現場で組立て、壁面構築用パネル１を作製する。具体的には、図３に示すように、矩形状壁材１１の背面に設けられたフック１３内へ、突出部１２１側からアーム１２を挿入するとともに、フック１３がアーム１２の取付部１２２を挟み込んだ状態にて当接領域１２Ａにて当接するまで、金槌等でアーム１２の取付部１２２を打ち込むことにより、フック１３を介してアーム１２を矩形状壁材１１に固定して取り付け、壁面構築用パネル１を作製する。なお、このとき、矩形状壁材１１の背面に設けられたフック１３内へ、突出部１２１側からアーム１２を挿通する際に、アーム１２の取付部１２２の直線辺１２２ａが矩形状壁材１１の背面側に当接する向きとなるように留意する。
そうすると、作製された壁面構築用パネル１は、正面視において、矩形状壁材１１の横幅長さの略１／４だけ左右両端から内側へ寄った位置から、それぞれアーム１２の突出部１２１が突出した形態となる。また、突出したアーム１２の突出部１２１の凹状部１２１ａや、先端部分の上辺１２１ｂはいずれも、手前側（正面側）に位置することとなる。
【００２４】
続いて、図４に示すように、作製した壁面構築用パネル１を構成するアーム１２の突出した突出部１２１を、砂利Ｂが敷かれた法面Ｓに並べた下段の壁面構築用パネル１の背面側へ滑り込ませる（連結具案内工程）。この工程では、並べた下段の壁面構築用パネル１に対し、滑り込ませようとする壁面構築用パネル１をやや傾けることが、アーム１２の突出した突出部１２１を下段の壁面構築用パネル１の背面側へ滑り込ませることが容易となるので好ましい。なお、この時点で、アーム１２を滑り込ませた上段の壁面構築用パネル１と下段の壁面構築用パネル１との法面Ｓからの高さレベルは、アーム１２の突出部１２１の先端部分の上辺１２１ｂが矩形状壁材１１の背面と同じ高さレベルとされているため、さらに、アーム１２の一部が法面Ｓに敷かれた砂利Ｂに食い込むなどするため、同一の高さレベルに揃うようになる。
【００２５】
さらに、図５に示すように、滑り込ませた壁面構築用パネル１を左右方向に移動し、所定の位置に設置する（パネル設置工程）。下段の壁面構築用パネル１の背面側へアーム１２の突出部１２１を滑り込ませた状態において、アーム１２を滑り込ませた側の壁面構築用パネル１は、アーム１２の一部が法面Ｓに敷かれた砂利Ｂに食い込むなどしているのみであって、法面Ｓに対して何らかの手段にて固定されていないため、左右方向へ移動することが可能で、滑り込ませた壁面構築用パネル１を容易に所定の位置に設置することができる。また、所定の位置とは、例えば、図６に示すように、下段の壁面構築用パネル１から突出しているアーム１２と滑り込ませた壁面構築用パネル１のアーム１２とが５０ｍｍ〜１００ｍｍ程度離れて対向する位置であることが好ましい。
なお、このようにしてパネル設置工程を進めると、壁面構築用パネル１のアーム１２は、矩形状壁材１１の横幅長さの略１／４だけ左右両端から内側へ寄った位置にて突出している。このため、例えば、１段目の建て並べた壁面構築用パネル１に対し、２段目の建て並べた壁面構築用パネル１が横幅方向（左右方向）に略１／２の長さずつ、ずれて設置されることとなって、構築した壁面の安全性を確保しつつ、かつ、完成した壁面の外観が見栄えの良いものとなる（図８参照）。
【００２６】
そして、図７（ａ），（ｂ）に示すように、滑り込ませた壁面構築用パネル１を所定の設置した後には、固定部材としての例えば、Ｕ字状アンカー１４により、壁面構築用パネル１から突出したアーム１２の突出部１２１における凹状部１２１ａを繋止しつつ法面Ｓへ打ち込み固定し、壁面構築用パネル１の左右の移動を規制する（パネル固定工程）。具体的には、Ｕ字状アンカー１４により、壁面構築用パネル１から突出したアーム１２の凹状部１２１ａを挟み込み、法面Ｓへ向けて砂利Ｂに埋設されるまで打ち込み、壁面構築用パネル１を法面Ｓに固定すればよい。これにより、壁面構築用パネル１の法面Ｓにおける左右方向の動きとともに、勾配方向（上下方向）の動きを規制することができる。特に、Ｕ字状アンカー１４により、壁面構築用パネル１から突出したアーム１２の突出部１２１における凹状部１２１ａを繋止しているため、その固定による規制は確実なものとなる。また、壁面構築用パネル１の法面Ｓにおける勾配方向（上下方向）の動きは、建て並べた壁面構築用パネル１の相互の自重によっても規制される。
上述した３つの工程を繰り返すことにより、図８、図９に示すように、左右に建て並べた壁面構築用パネル１が複数段、法面Ｓの勾配方向に沿って構築された擁壁（保護壁）が完成する。すなわち、本発明に係る壁面構築用パネル１を用いた壁面施工方法では、壁面構築用パネル１の背面側からアーム１２の装着状態を確認することなく施工でき、その施工過程での作業を著しく簡素化することができ、壁面構築用パネル１の法面Ｓにおける上下方向、左右方向の動きも規制されているので、構築した擁壁（保護壁）の安全性も確保することができる。
【００２７】
なお、壁面構築用パネル１は、矩形状壁材１１の背面のフック１３内に挿入されているアーム１２を金槌等で叩けば、矩形状壁材１１から取り外すことができる。よって、法面Ｓの壁面施工現場において壁面構築用パネル１の枚数が余った場合には、壁面構築用パネル１を、背面にフック１３を備えた矩形状壁材１１とアーム１２との部品毎に分別することができ、搬入、搬出時の効率的な運搬が可能となる。
【００２８】
したがって、本発明に係る壁面構築用パネル１では、上述した３つの工程を繰り返して、左右に建て並べた壁面構築用パネル１を複数段、法面Ｓの勾配方向（上下方向）に沿って施工することにより、壁面（保護壁）を構築することができる。その施工過程は、下段の壁面構築用パネル１の背面側へアーム１２の突出部１２１を滑り込ませるという簡便な作業により、下段の壁面構築用パネル１とアーム１２を滑り込ませた側の壁面構築用パネル１との法面Ｓからの高さレベルを整合させることができ、かつ、下段の壁面構築用パネル１の背面側へアーム１２を滑り込ませた状態では、滑り込ませた側の矩形状壁材１１（壁面構築用パネル１）を左右方向に移動できて、所定の設置箇所に容易に設置することが可能になる。特に、壁面構築用パネル１の背面側からアーム１２等の装着状態を確認しつつ施工することも不要となって、様々な法面Ｓの被覆保護に勝手よく用いることができる壁面構築用パネル１と、これを用いた保護壁施工方法として提供することが可能となる。
【００２９】
以下、本発明に係る壁面構築用パネルの他の実施形態について説明する。
ここでは、本発明に係る壁面構築用パネルを法面に建て並べて構築した壁面（保護壁）に対し、車両等の重量物が衝突した場合の被害の程度を把握するため、その状況を模擬した確認試験の結果を示す。
【００３０】
確認試験では、１：１．２勾配の法面に本発明に係る壁面構築用パネル（厚さ３５ｍｍ、重量約２０ｋｇ）を図４〜図８に示すような工程により設置し、保護壁を構築した（本発明例、図１０参照）。構築した保護壁に対しては、重量（ｗ）３００ｋｇの重錘を被衝突箇所の上空（高さ：ｈ）３ｍの位置から落下させ、衝突させたときの重錘の埋没深さ（ｔ）を計測した。また、重錘の埋没深さ（ｔ）から、保護壁（保護壁）の勾配（Θ）を考慮して、重錘の減速距離（δ）を算出した。なお、１：１．２勾配の法面であれば、その構築された保護壁（保護壁）の勾配（Θ）は３９．８０６°となる。一方、対照例として従来の大型の保護壁ブロック（重量約２００ｋｇ、表面積が１ｍ2、厚み１２ｃｍ、図１１参照）により保護壁を構築し、同様に重錘の埋没深さ（ｔ）を計測し、錘の減速距離（δ）を算出した。
【００３１】
衝撃荷重（σ）は、質量（ｗ）の重錘を高さ（ｈ）から自然落下させたときの位置エネルギーと、落下した重錘が保護壁に衝突してから停止するまでの減速距離（δ）および衝撃荷重（σ）による仕事エネルギーと、の値が等しくなること（エネルギー保存の法則）に基づいて求めることができる。なお、下記［数１］にエネルギー保存の法則に基づく式を示す。また、本発明例、対照例の各計測結果を［表１］に示す。
【００３２】
【数１】
2011132796.tif 000003
【００３３】
【表１】
2011132796.tif 000004
【００３４】
その結果、本発明例の衝撃荷重（σ）は、７０８５８．３８Ｎ（ニュートン）と算出された。一方、対照例の衝撃荷重（σ）は、５５４７５５．５０Ｎと算出された。これにより対照例に比べ、本発明例の保護壁は、物体の衝突時の衝撃荷重（σ）を約７分の１に低減することが確認された。なお、衝撃荷重（σ）が低減された理由は、本発明に係る壁面構築用パネルが、小型軽量であるが故に、従来の保護壁ブロックよりも壊れやすく、被衝突箇所が変形して背面側の法面にめり込み、その衝撃荷重（σ）が減衰するためであると考えられた。
【００３５】
また、図１０、図１１に示すように、上記確認試験により形成された保護壁の破壊領域（面積）は、図１０と図１１との対比から、本発明例における破壊された保護壁の領域（面積）が対照例の約３分の１に抑えられることが確認された。破壊の領域（面積）が低減された理由は、本発明例の保護壁が、壁面構築用パネルを上下左右に建て並べた構成であるが故に、隣接する壁面構築用パネル同士が機械的に結合しないで個々に独立していて、衝撃荷重（σ）が隣接する壁面構築用パネルに伝播するのを軽減阻止するためであると考えられた。
【００３６】
このように本発明に係る壁面構築用パネルを用い、例えば、法面に建て並べて壁面（保護壁）を構築すれば、壁面構築用パネルが薄板軽量であることにより、重量物が衝突したときの衝撃荷重を減衰することができる。さらに、構築した保護壁は、隣接する壁面構築用パネル同士が機械的に結合しないで個々に独立していて、衝撃荷重が伝播するのを軽減阻止するので、その破壊領域の拡大を抑止することができる。すなわち、本発明に係る壁面構築用パネルを用いて法面に建て並べて構築した壁面（保護壁）は、緩衝機能を有し、万が一の事故の際にも衝撃荷重を吸収しつつ、破壊の箇所を局所にとどめることができる。そして、破壊された局所の本発明品のみを交換すれば補修作業が完了するので、従来に比べ修復作業が大幅に簡素化することができる。
【００３７】
ここで、本発明は、上記実施形態に限らず、壁面構築用パネル１の背面側からアーム１２等の装着状態を確認しつつ施工することができる現場にも当然に適用することができるものである。このような現場での施工においては、例えば、壁面構築用パネル１の列を３段、４段と建て並べる都度、壁面構築用パネル１の列と法面Ｓとの間に生コンクリートやエアモルタルなどの充填材を充填してもよい。これにより壁面構築用パネル１の盛土、切土の法面Ｓに対する固定をより強固なものとすることができる。充填材は、土砂や砂利Ｂなどでもよく、このような場合、充填後に搗き固めれば十分な固定強度を得ることができる。
【００３８】
また、本発明は、上記実施形態のような法面Ｓへの施工のほか、例えば、垂直方向に建て並べて壁面を構築する施工にも対応することができる。
この場合、図２に示すように、アーム１２には孔１２ｂが形成されているので、連結具案内工程、パネル設置工程を経た後のパネル固定工程において、下段の壁面構築用パネル１のアーム１２の孔１２ｂと上段の壁面構築用パネル１のアーム１２の孔１２ｂとをセパレータと称する金属製の棒状部材で連結して繋ぎ止め、さらに溶接するなどして、下段の壁面構築用パネル１と上段の壁面構築用パネル１とを固定し、建て並べた壁面構築用パネルの上下方向、左右方向の動きを規制して壁面を構築すればよい。
そして、このような施工現場であっても、下段の壁面構築用パネル１の背面側へアーム１２の突出した一部を滑り込ませることで、下段の壁面構築用パネル１と上段の壁面構築用パネル１との表面が整合して連続的に並ぶようになって外観が審美であるほか、下段の壁面構築用パネル１の背面側へ上段の壁面構築用パネル１のアーム１２を滑り込ませた状態にて上段の壁面構築用パネル１の左右方向の移動が可能であるので、その施工作業を簡素化し、構築した壁面の安全性を確保しつつ、所定の設置箇所に容易に本発明品を設置することが可能となるなど、法面Ｓへの施工と同様の効果を得ることができる。
【００３９】
なお、上記実施形態では、矩形状壁材、連結具（アーム）をそれぞれ別体とし、壁面施工現場で組立てて壁面構築用パネルを作製する例を説明した。しかし、この例に限られず、本発明に係る壁面構築用パネルは、矩形状壁材と連結具（アーム）を同時成形により製造して構成してもよい。この構成は、例えば、壁面施工現場で組立てる手間を省略したい場合、壁面施工現場に組立てるスペースがない場合等に特に好適に用いることができる。
【００４０】
以上、本発明のいくつかの実施形態を例示して詳述したが、本発明は、これに限定されるものではない。そして、本発明では、例えば、安全性を確保することができる範囲で、矩形状壁材１１、アーム１２、アンカー１４等にそれぞれ公知の材質を採用すればよいし、また、矩形状壁材１１、アーム１２、アンカー１４等の製造は、周知の技術手段で可能なものである。また、本発明を構成する構成物品である矩形状壁材１１、アーム１２、アンカー１４等については、特許請求の範囲に記載された事項を逸脱することがなければ、種々の設計変更を行うことが可能であり、被覆保護しようとする法面の形態等に対応させて適宜、材質や形状等を改良することができる。なお、本発明を用いて構築した保護壁は、上記した確認試験のメソッドを適用した場合、その衝撃荷重（σ）が対照例に比して約５分の１となる１０万Ｎ以下であることが好ましい。
そして、本発明に係る壁面構築用パネルと、これを用いた壁面施工方法は、法面への適用以外にも多用な壁面の構築に対応することができるという格別な効果を備えている。
【符号の説明】
【００４１】
１・・・・壁面構築用パネル
１１・・・矩形状壁材
１２・・・アーム（連結具）
１２ａ・・傾斜辺
１２１・・突出部
１２１ａ・凹状部
１２１ｂ・先端部分の上辺
１２２・・取付部
１２２ａ・直線辺
１３・・・フック（被連結具）
１４・・・Ｕ字状アンカー（固定部材）  
Ｂ・・・・砂利
Ｓ・・・・法面（被固定部）
【図１】
2011132796.tif 000005
【図２】
2011132796.tif 000006
【図３】
2011132796.tif 000007
【図４】
2011132796.tif 000008
【図５】
2011132796.tif 000009
【図６】
2011132796.tif 000010
【図７】
2011132796.tif 000011
【図８】
2011132796.tif 000012
【図９】
2011132796.tif 000013
【図１０】
2011132796.tif 000014
【図１１】
2011132796.tif 000015
【手続補正書】
【提出日】平成22年4月6日(2010.4.6)
【手続補正１】
【補正対象書類名】明細書
【補正対象項目名】００３２
【補正方法】変更
【補正の内容】
【００３２】
【数１】
2011132796.tif 000016